(57)【特許請求の範囲】
【請求項１】
木製材料からなる上下開口の筒状をした側壁部材の下方開口を塞ぐように設けられ、多数の水抜き孔が設けられ、合成樹脂からなり、前記側壁部材の下端面を受ける下端受け部を有し、平面視リング状をした下面カバー部と、この下面カバー部に連設され、前記側壁部材の下端部の外周面を覆うように配置される外壁カバー部と、前記下面カバー部の内方に連設され、水抜き孔を有する底部を備えているプランターの底部材であって、
前記下面カバー部は、下面カバー部の底から上方に突出し、側壁部材の下端を下面カバー部の底から浮かした状態に受ける下面受け部を周方向に間欠的に備えていることを特徴とするプランターの底部材。
【請求項２】
底部が、底部本体と、この底部本体を下面カバー部と連結し、側壁部材の下端より上側に配置するように支持する連結部を備えているとともに、少なくとも底部本体に水抜き孔が形成されている請求項１に記載のプランターの底部材。
【請求項３】
底部本体は、メッシュ状の水抜き孔を有する盤状部と、この盤状部の上下に突出するコーン状の突起を複数備えていて、この突起の周面にスリット状の水抜き孔が形成されている請求項２に記載のプランターの底部材。
【請求項４】
連結部に下面カバー部の底に達するスリット状の水抜き孔が周方向に間欠的に設けられている請求項２または請求項３に記載のプランターの底部材。
【請求項５】
請求項１〜請求項４のいずれかに記載の底部材が、木製の筒状をした側壁部材の下端を、前記底部材の下面受け部で受け、かつ下面カバー部で下方からカバーするとともに、前記側壁部材の下端部外周面を前記底部材の外壁カバー部でカバーするように側壁部材に取り付けられていることを特徴とするプランター。
【発明の詳細な説明】
【技術分野】
【０００１】
本発明は、プランターの底部材およびこの底部材を用いたプランターに関する。
【背景技術】
【０００２】
見栄えが良く高級感があるため、木製材料からなるプランターの需要が多い。
しかし、木製材料は、湿気を吸った状態が続くと、腐ったり、カビが生えて見栄えが悪くなったりしやすく、耐久性の点で問題がある。
そこで、木製板体によって筒状の側壁を形成するとともに、この側壁の内周面下部に溝を形成し、周縁にリブを有し、かつ下面に複数個のボスを形成した合成樹脂製板材を、この板材の周縁リブが前記側壁の溝に、前記ボスの下端面が側壁の下端面と一致するように嵌合させて形成したプランターが提案され、上市されている（特許文献１参照）。
すなわち、このプランターは、側壁を木製板材によって形成し、意匠性を確保するとともに、最も長時間水に曝されやすい、底を合成樹脂製板材で形成しているので、従来の底まで木材で形成されている木製プランターに比べ、底が腐りにくく、耐久性が向上する。
【先行技術文献】
【特許文献】
【０００３】
【特許文献１】特開2004-166662号公報
【発明の概要】
【発明が解決しようとする課題】
【０００４】
しかし、プランターの場合、ベランダ、玄関ポーチ、庭などの直置きされる場合があるため、水遣りした水や雨水で床面や地面を濡れた状態になると、側壁の下端が長時間濡れた状態に保持される。
したがって、側壁の下端側が腐りやすいという問題や、かび等が発生しやすいという問題がある。
【０００５】
本発明は、上記事情に鑑みて、木製の側壁を有するプランターの側壁下端側の腐りやカビ等の発生を抑えて耐久性を向上させることができるプランターの底部材およびこの底部材を用いた耐久性に優れたプランターを提供することを目的としている。
【課題を解決するための手段】
【０００６】
上記目的を達成するために、本発明にかかるプランターの底部材（以下、「本発明の底部材」と記す）は、木製材料からなる上下開口の筒状をした側壁部材の下方開口を塞ぐように設けられ、多数の水抜き孔が設けられ、合成樹脂からなり、前記側壁部材の下端面を受ける下端受け部を有し、平面視リング状をした下面カバー部と、この下面カバー部に連設され、前記側壁部材の下端部の外周面を覆うように配置される外壁カバー部と、前記下面カバー部の内方に連設され、水抜き孔を有する底部を備えているプランターの底部材であって、前記下面カバー部は、下面カバー部の底から上方に突出し、側壁部材の下端を下面カバー部の底から浮かした状態に受ける下面受け部を周方向に間欠的に備えていることを特徴としている。
【０００７】
本発明において、底部材を形成する樹脂としては、特に限定されないが、例えば、ポリプロピレン、ポリエチレン、ＡＢＳ樹脂、ポリカーボネートなどが挙げられる。
本発明において、側壁部材は、箍材などや、釘、ビスなど若干に金属部分や接着剤と％の樹脂部分があっても構わないが、概ね木材で形成されている。
また、側壁部材は、無垢の木材をくりぬいて形成しても構わないが、材料コストを低減できるとともに、強度的にも優れたものとすることができるため、木製板材を組み合わせて側壁形状にしたものが好ましい。
【０００９】
本発明の底部材は、底部が、底部本体と、この底部本体を下面カバー部と連結し、側壁部材の下端より上側に配置するように支持する連結部を備えているとともに、少なくとも底部本体に水抜き孔が形成されている構成としてもよい。
また、底部本体は、メッシュ状の水抜き孔を有する盤状部と、この盤状部の上下に突出するコーン状の突起を複数備えていて、この突起の周面にスリット状の水抜き孔が形成されていることが好ましい。
すなわち、底部本体を薄肉にしてもプランター内の用土の荷重に耐えることができ、材料コストを低減できるともに、十分な水抜き性能を確保できるとともに、用土内への通気性も良好なものとなる。
【００１０】
本発明にかかるプランターは、上記本発明の底部材が、木製の筒状をした側壁部材の下端を、前記底部材の下面受け部で受け、かつ下面カバー部で下方からカバーするとともに、前記側壁部材の下端部外周面を前記底部材の外壁カバー部でカバーするように側壁部材に取り付けられていることを特徴としている。
【発明の効果】
【００１１】
本発明の底部材は、上記のように、木製材料からなる上下開口の筒状をした側壁部材の下方開口を塞ぐように設けられ、多数の水抜き孔が設けられたプランターの底部材であって、合成樹脂からなり、前記側壁部材の下端面を受ける下端受け部を有し、平面視リング状をした下面カバー部と、この下面カバー部に連設され、前記側壁部材の下端部の外周面を覆うように配置される外壁カバー部と、前記下面カバー部の内方に連設され、水抜き孔を有する底部を備えているので、木製の側壁部材の下端面が下端受け部に受けられるように装着すると、下端面が下端カバー部でカバーされ、下端部外周面が外壁カバー部によってカバーされる。
【００１２】
したがって、得られた本発明のプランターは、側壁部材の下端部が合成樹脂でカバーされた状態となり、側壁部材の下端部の腐りによる破損やカビ等の発生による外観不良を抑えることができる。
すなわち、プランターの耐久性を向上させることができる。しかも、側壁部材が木製であるので、意匠的にも優れ、高級感のあるものとなる。
また、下面カバー部を、下面カバー部の底から上方に突出し、側壁部材の下端を下面カバー部の底から浮かした状態に受ける下面受け部を周方向に間欠的に備えている構成としたので、側壁部材の下端にできるだけ多くの空間を設け、側壁部材の下端が極力水に浸からないようにすることができる。
【図面の簡単な説明】
【００１３】
【図１】本発明のプランターの１つの実施の形態をあらわす正面図である。
【図２】図１のプランターの平面図である。
【図３】図１のプランターの底面図である。
【図４】図１のプランターを底面側から見た斜視図である。
【図５】図３のＸ−Ｘ断面図である。
【図６】図１のプランターの分解斜視図である。
【図７】本発明の底部材の斜視図である。
【図８】図７の底部材の平面図である。
【発明を実施するための形態】
【００１４】
以下に、本発明を、その実施の形態を参照して詳しく説明する。
図１〜図６は本発明のプランターの１つの実施の形態をあらわし、図７〜図８はこのプランターに用いられる底部材をあらわしている。
【００１５】
図１〜図６に示すように、このプランターＡは、側壁部材１と、底部材２を組み立てて形成されている。
側壁部材１は、複数の木製板材１１を実継ぎ、ほぞ継ぎ、接着やこれらの組み合わせによって筒状に形成されているとともに、上方から下方に向って小径化している。
【００１６】
また、側壁部材１は、上下２箇所に外周面に沿って箍材としての金属製帯状材１２が巻回され、金属製帯状材１２によって周方向から締め付けられているとともに、金属製の把手１３が取り付けられている。
【００１７】
底部材２は、ポリプロピレン樹脂などの熱可塑性樹脂を射出成形して得られ、図１〜図８に示すように、下面カバー部３と、外壁カバー部４と、底部５を備えている
下面カバー部３は、平面視でリング状をしていて、その底３１に、周方向に等ピッチで上方に突出する薄板状の下端受け部３２を備えている。
【００１８】
また、下面カバー部３の底３１は、周方向に段状に上下を繰り返すように設けられていて、上方に持ち上がった部分で、プランター設置面との間に水抜き用の隙間Ｓを間欠的に形成するようになっている。
外壁カバー部４は、下面カバー部３の外周側で上方に立ち上がるように設けられ、側壁部材１の下端部外周面をカバーするようになっている。
また、外壁カバー部４は、図７、図８に示すように、周方向に等間隔で固定ネジ孔挿通孔４１が穿設されている。
【００１９】
底部５は、底部本体６と、連結部７を備えている。
底部本体６は、網目状の水抜き孔６１ａを備えている盤状部６１と、４つの下方に突出する第１突起６２と、３つの上方に突出する第２突起６３を備えている。
【００２０】
第１突起６２および第２突起６３は、それぞれコーン状をしていて、その周面にスリット状の水抜き孔６４が周方向に等ピッチで設けられている。
また、第１突起６２は、４つのうち１つが底部本体６の中央に設けられ、他の３つが、この中央の第１突起６２の外側で同一円周上に等ピッチで並ぶように設けられているとともに、先端に丸孔の水抜き孔６５が穿設されている。
【００２１】
第２突起６３は、それぞれ、第１突起６２の外側の３つと同一円周上で、第１突起６２と第１突起６２の間の位置に設けられている。
連結部７は、底部本体６と、下面カバー部３とを連結していて、下面カバー部３の底３１に達するスリット状の水抜き孔７１が周方向に等ピッチで設けられている。
【００２２】
そして、この底部材２は、側壁部材１の下端部が外壁カバー部４によってカバーされ、側壁部材１の下端受け部３２に側壁部材１の下端が当接するように側壁部材１に組み合わせたのち、外壁カバー部４に穿設された固定ネジ孔挿通孔４１を介して側壁部材１に固定ネジ８をネジ込んで、側壁部材１に固定される。
【００２３】
因みに、上記プランターＡは、特に限定されないが、盤状部６１の水抜き孔６１ａの大きさは３〜４ｍｍ角、水抜き孔６４の幅は１．５〜２．５ｍｍ、水抜き孔６５の径は３〜４ｍｍ、水抜き孔７１の幅は３〜４ｍｍである。
【００２４】
このプランターＡは、上記のように、側壁部材１の下面が底部材２の下面カバー部３でカバーされ、側壁部材１の下端部外壁面が外壁カバー部４でカバーされているので、水遣りの水や雨水が床や庭に溜まっても、側壁部材１の下端部が溜まり水などに長時間曝されることがない。
また、側壁部材１の下端に、万一カビなどが発生しても外壁カバー部４によってカバーされているので、外部からは見えず、外観を損なうことがない。
【００２５】
しかも、側壁部材１の下端面は、下面カバー部３の底３１から上方に突出するように設けられた下端受け部３２によって間欠的に下方から支持され、底３１から浮き上がっているので、より溜まり水などに浸かりにくい。
したがって、側壁部材１の下端部の水濡れによる腐りを防止することができ、耐久性に優れたものとすることができる。
【００２６】
また、底部本体６に第１突起６２および第２突起６３が設けられているとともに、第１突起６２および第２突起６３に水抜き孔６４，６５が設けられているので、十分な排水性能を確保できるとともに、プランターＡの深さ方向の通気性も確保できるので、根腐れなどが起こりにくい。
また、底部本体６の中央に下方向に突出する第１突起６２を設けたので、プランターＡに充填された用土の荷重を中央でしっかりと受けることができる。
【００２７】
さらに、下面カバー部３がプランター設置面との間に隙間Ｓを形成するようになっているので、隙間Ｓを介して底部５が外気に曝されやすくなり、より通気性を確保できるようになる。
また、底部本体６が連結部７によって上方に浮き上がった状態となるため底部本体６の下方に空間を確保でき、水抜き性能および通気性能を向上させることができる。
さらに、連結部７に、下面カバー部３の底３１に達するスリット状の水抜き孔７１が設けられているので、下面カバー部３の底３１に水が溜まることを防止できる。
【００２８】
本発明は、上記の実施の形態に限定されない。例えば、上記の実施の形態では、側壁部材が、下方に向って小径化する円錐台形状の筒状をしていたが、平面視で楕円形、長円形、多角形をしていても構わない。また、下方に向って小径化する必要はない。
上記の実施の形態では、側壁部材に把手が取り付けられていたが、把手はなくても構わない。
【００２９】
上記の実施の形態では、外壁ガバー部に固定ネジ挿通孔を設け、この固定ネジ挿通孔を介して固定ネジを側壁部材にネジ込み、底部材を側壁部材に固定するようにしていたが、固定せずに、弾性嵌合などによって簡単に着脱できるようにしても構わない。
上記の実施の形態では、底部本体に４つの第１突起と、３つの第２突起が設けられていたが、第１突起と第２突起の数は、底部本体の大きさや形状に応じて適宜決定され、突起が無くても構わない。
【符号の説明】
【００３０】
Ａ  プランター
１  側壁部材
２  底部材
１１  木製板材
１２  金属製帯状材
１３  金属製の把手
３  下面カバー部
４  外壁カバー部
５  底部５
３１  底
３２  下端受け部
Ｓ  隙間
４１  固定ネジ挿通孔
６  底部本体
６１ａ  水抜き孔
６１  盤状部
６２  第１突起
６３  第２突起
６４  水抜き孔
６５  水抜き孔
７  連結部
７１  水抜き孔
８  固定ネジ
【要約】      （修正有）【課題】木製の側壁を有するプランターの側壁下端側の腐りやカビ等の発生を抑えて耐久性を向上させることができるプランターの底部材および底部材を用いた耐久性に優れたプランターを提供。【解決手段】木製材料からなる上下開口の筒状をした側壁部材１に、合成樹脂からなり、側壁部材１の下端面を受ける下端受け部３２を有し、平面視でリング状をした下面カバー部と、下面カバー部に連設され、側壁部材１の下端部の外周面を覆うように配置される外壁カバー部４と、下面カバー部の内方に連設され、水抜き孔６１ａを有する底部５を備えている底部材２を、側壁部材１の下端開口を底部５で塞ぐとともに、側壁部材１の下面を下面カバー部でカバーし、側壁部材１の下端部外周を外壁カバー部４でカバーするように装着したプランター。【選択図】図６【図１】
0005927332.tif 000002
【図２】
0005927332.tif 000003
【図３】
0005927332.tif 000004
【図４】
0005927332.tif 000005
【図５】
0005927332.tif 000006
【図６】
0005927332.tif 000007
【図７】
0005927332.tif 000008
【図８】
0005927332.tif 000009